(57)【要約】      （修正有）【課題】プリンタヘッドを案内する可動レールの高さを容易かつ確実に調整でき、作業に労を要さず、経済性にも優れた可動レールの高さ調整機構を提供する。【解決手段】角孔を有する支持板３と、傾斜面２１ａを有する切り起こし部２１を備え、支持板３へ下側から接する基台２と、正面に水平方向のタップ孔を備え、支持板３の角孔に潜入した基台２の切り起こし部２１の傾斜面２１ａに、下面のカム部４１１を当接させて支持板３に載る調整部材４１と、調整部材４１のタップ孔に螺合する調整ネジ６と、調整部材４１を溝部４２ａに収容しつつ支持板３に載る上下動部材４２と、上下動部材４２に載る可動レール１と、支持板３の下側から支持板３、調整部材４１、上下動部材４２を貫通して可動レール１に螺合して一体化し、かつ、調整ネジ６が当接する取付ネジ５と、を備えて可動レール１の高さ調整機構を構成した。【選択図】図４
2008290352.tif 000002
【特許請求の範囲】
【請求項１】
プリンタヘッドを案内する可動レールの高さを調整する可動レールの高さ調整機構であって、
孔を有する支持板と、
前記孔に潜入する、傾斜面を有した突起部を備え、前記支持板へ下側から接している基台と、
正面に水平方向のタップ孔を備えるとともに、下面に設けられているカム部が、前記支持板の孔に潜入した前記突起部の傾斜面に当接するようにして前記支持板に載せられている調整部材と、
この調整部材のタップ孔に螺合する調整ネジと、
前記調整部材を介して前記支持板に載せられている上下動部材と、
この上下動部材に載せられている可動レールと、
前記支持板の下側から前記支持板、前記調整部材および前記上下動部材を貫通して前記可動レールに先端部が螺合することにより、前記支持板、前記調整部材、前記上下動部材および前記可動レールを一体化し、かつ、前記調整ネジの先端が当接する取付ネジと、
を備えることを特徴とする可動レールの高さ調整機構。
【請求項２】
請求項１に記載の可動レールの高さ調整機構において、
前記調整部材を、平面視コの字形状とし、このコの字形状の開放した両先端部下面に前記カム部を設け、
前記上下動部材に、前記調整部材を収容する溝部を設けた、
ことを特徴とする可動レールの高さ調整機構。
【発明の詳細な説明】
【技術分野】
【０００１】
本発明は、例えば、Ａ０、Ａ１の用紙などに対して記録（印字）を行う大型のインクジェットプリンタにおいて、プリンタヘッドを案内する可動レールの高さを容易かつ確実に調整することができる可動レールの高さ調整機構に関する。
【背景技術】
【０００２】
一般に、コンピュータ、ワードプロセッサなどの出力装置として、インクジェットプリンタが用いられている。
【０００３】
従来、インクジェットプリンタは、印字面と平行に可動レールが設けられており、この可動レールに、プリンタヘッドが往復動できるように装着されている。可動レールは、その両端部がインクジェットプリンタのフレームにより支持され、可動レールの部品精度およびプリンタフレームの部品精度が高められることで、印字面に対して平行が保持されている。しかし、Ａ０、Ａ１の記録用紙あるいは、さらに大型の記録用紙に印字する大型のインクジェットプリンタは、可動レールの長さ寸法が１メートルを超えるものがあり、可動レールがその自重で撓んでしまい、印字面に対して平行が保持されないという問題が生じている。
【０００４】
上記問題に関し、例えば、下記特許文献１にて、インクジェットプリンタに関する可動レールの高さ調整機構ではないが、半導体ウエハなどを搬送する際に使用されるリニアガイドレールの高さを調整する仕組みが提案されている。
【特許文献１】特開２００５−３１０９８５号公報
【０００５】
特許文献１に係る発明では、基台の略矩形状の凹部内に設けられた第１のブロック、第２のブロックおよび第３のブロックを具備した高さ調整機構により、この基台上に設けられるリニアガイドレールの高さが調整されている。第１のブロックに、この第１のブロックを貫通する高さ調整ネジが設けられており、この高さ調整ネジを上方から回転して、第１のブロックを上下方向に移動させ、第２、第３のブロックを順次、所定の方向に移動させることにより、リニアガイドレールの高さを調整している。
【０００６】
具体的には、高さ調整ネジを締め付けて、まず、第１のブロックを下方に移動させ、この第１のブロックの側方に設けられ、第１のブロックの傾斜面と第一傾斜面において当接している第２のブロックを水平方向に移動させる。第２のブロックが水平方向に移動すると、第２のブロックの上部に設けられ、第２のブロックの第二傾斜面と傾斜面で当接している第３のブロックが上下方向に移動する。
第３のブロックが上下方向に、所望の高さ位置まで移動したら、第３のブロックを貫通するように設けられ、基台に螺合している固定ネジを締め付けて、第３のブロックを所望の高さ位置に固定する。その後、第３のブロックの上にリニアガイドレールを固定することにより、実質的にリニアガイドレールの高さが所望の高さ位置に固定されるので、リニアガイドレールの高さを調整することができる。
【発明の開示】
【発明が解決しようとする課題】
【０００７】
しかし、特許文献１では、リニアガイドレールの高さを調整するのに、第１のブロック、第２のブロック、第３のブロックと３つのブロックを使うなど、部品点数が多いという問題がある。特に、リニアガイドレールの高さの調整および平行度を確認するのに、一度、リニアガイドレールを外し、高さ調整機構によって所望の高さ位置を得た後、再度、リニアガイドレールを取り付ける作業が必要なので、労を要するという問題もある。もっとも、プリンタは一般的に、複数の部品の中から可動レールのみをプリンタから取り外し、再度、取り付けるということを想定して製造されていないので、特許文献１に係る発明をプリンタの可動レールの高さ調整に適用することが困難であるという問題がある。
【０００８】
そこで、本発明は、上記実情に鑑み提案され、プリンタヘッドを案内する可動レールの高さを容易かつ確実に調整することができ、特に、可動レールを取り外して再び取り付ける作業が不要で、さらに、可動レールの高さを確認しながら労を要さずに調整することができ、かつ、部品点数を抑えて経済性を得ることもできる可動レールの高さ調整機構を提供することを目的とする。
【課題を解決するための手段】
【０００９】
上記目的を達成するために、本発明は、プリンタヘッドを案内する可動レールの高さを調整する可動レールの高さ調整機構であって、孔を有する支持板と、前記孔に潜入する、傾斜面を有した突起部を備え、前記支持板へ下側から接している基台と、正面に水平方向のタップ孔を備えるとともに、下面に設けられているカム部が、前記支持板の孔に潜入した前記突起部の傾斜面に当接するようにして前記支持板に載せられている調整部材と、この調整部材のタップ孔に螺合する調整ネジと、前記調整部材を介して前記支持板に載せられている上下動部材と、この上下動部材に載せられている可動レールと、前記支持板の下側から前記支持板、前記調整部材および前記上下動部材を貫通して前記可動レールに先端部が螺合することにより、前記支持板、前記調整部材、前記上下動部材および前記可動レールを一体化し、かつ、前記調整ネジの先端が当接する取付ネジと、を備えることを特徴とする。
【００１０】
そして、上記可動レールの高さ調整機構において、調整部材を平面視コの字形状とし、このコの字形状の開放した両先端部下面にカム部を設け、さらに、上下動部材に調整部材を収容する溝部を設けることが好ましい。
【発明の効果】
【００１１】
本発明では、可動レールの高さ調整機構を工夫し、一つの調整ネジを螺入、螺出させるだけで、調整部材の前後および上下方向の動きを介して上下動部材に載せた可動レールを上下動させて、可動レールの高さを調整することができるので、プリンタヘッドを案内する可動レールの高さを容易かつ確実に調整することができる。特に、可動レールが上下動部材に載せられているので、高さを調整する度に逐次、可動レールの取り外しや取り付けをする必要がなく、さらに、調整ネジを螺入、螺出させる向きが水平方向であるので、可動レールの平行度を目視により確認するのに作業を止める必要もないなど、労を要さずに可動レールの高さを調整することができる。また、可動レールの高さ調整に必要な部材は、調整部材および調整ネジであるので、部品点数を抑え、プリンタの低コスト化を図ることもできる。
【００１２】
さらに、上記可動レールの高さ調整機構では、調整部材を平面視コの字形状とし、このコの字形状の開放した両先端部下面にカム部を設けたので、調整部材の材料を節約することができるとともに、取付ネジを貫通させる孔を調整部材に設けることが不要になるなど、本発明に係る可動レールの高さ調整機構を簡単に構成することができる。また、上下動部材に、調整部材を収容する溝部を設けたので、調整部材の前後および上下方向の動きを確実に上下動部材の上下方向への動きに変換することができるほか、本発明に係る可動レールの高さ調整機構の高さを外観上低く構成することなども可能となる。
【発明を実施するための最良の形態】
【００１３】
以下、本発明に係る可動レールの高さ調整機構における一実施形態を図面に基づいて説明する。
図１は、本発明に係る可動レールの高さ調整機構が複数箇所に設けられた可動レールを破断した部分平面図、図２は、図１において調整ネジが水平方向に螺合している正面側から見た一部を破断した部分正面図、図３は、本発明に係る可動レールの高さ調整機構の一実施形態における構成を説明する説明図（可動レールと取付ネジとの結合状態をも示す。）である。図４（ａ）、（ｂ）は、本発明に係る可動レールの高さ調整機構の動作説明図、図５は、本発明に係る可動レールの高さ調整機構の一実施形態における構成部品の上下動部材を、下面側から見た斜視図である。
【００１４】
本発明は、図１および図２に示す通り、補強した平板からなる基台２と、この基台２に載せられ、後述する支持ポスト４の間を、基台２にカシメまたはねじ止め、若しくは固定された平らな支持板３と、この支持板３に所定間隔で載せられて取り付けられ、支持板３と反対側に可動レール１が載せられている複数の支持ポスト４と、この支持ポスト４を支持板３の下側から貫通し、先端部５１が可動レール１に螺合して、支持板３、支持ポスト４および可動レール１を一体化する取付ネジ５と、この取付ネジ５に先端６１が当接している調整ネジ６とで構成される、プリンタヘッドを案内する可動レール１の高さ調整機構である。なお、図４（ａ）および図４（ｂ）は、プリンタ内に複数の箇所がある可動レール１の高さ調整機構のうち、一箇所の可動レール１の高さ調整機構を示している。
【００１５】
まず、図３に基づいて、本発明に係る可動レールの高さ調整機構の一実施形態のそれぞれの構成部品について説明する。
支持板３には、角孔３ａ、位置決め孔３ｂおよび取付孔３ｃがそれぞれ設けられている。支持板３へ下側から接する基台２には、支持板３の角孔３ａに潜入する、傾斜面２１ａを有した突起部としての切り起こし部２１とともに、位置決め孔２ｂおよび逃がし孔２ｃがそれぞれ設けられている。そして、基台２および支持板３の位置決め孔２ｂ、３ｂは、切り起こし部２１を支持板３の角孔３ａに下側から潜入させて基台２を支持板３へ接触させる際にそれぞれ重なり合い、同様に、基台２の逃がし孔２ｃおよび支持板３の取付孔３ｃも、切り起こし部２１を支持板３の角孔３ａに下側から潜入させて基台２を支持板３へ接触させる際にそれぞれ重なり合う。なお、支持板３の取付孔３ｃの径は、基台２の逃がし孔２ｃの径よりも小さいものである。
【００１６】
また、支持板３に所定間隔で載せられて取り付けられ、支持板３と反対側に可動レール１が載せられる支持ポスト４は、調整部材４１と上下動部材４２とからなる。調整部材４１は、平面視コの字形状で、コの字形状の開放した両先端部下面にカム部４１１が設けられ、さらに、正面に調整ネジ６が水平方向に螺合するタップ孔４１ａが形成されている。上下動部材４２は、下面に調整部材４１を収容する溝部４２ａを有するとともに、位置決めダボ４２ｂが設けられている（図５参照）。また、上下動部材４２の正面には、溝部４２ａに収容される調整部材４１のタップ孔４１ａに調整ネジ６を水平方向に螺合させるための開放孔４２ｄが、溝部４２ａに連通させて形成されている（図５参照）。さらに、上下動部材４２の下面と反対側には、可動レール１を載せる載置部４２１が設けられている。この載置部４２１には、取付ネジ５が通るための貫通孔４２ｃが形成されている。貫通孔４２ｃは、載置部４２１から調整部材４１を収容する溝部４２ａへ向けて上下動部材４２を貫通している。
【００１７】
このほか、可動レール１には、取付ネジ５の先端部５１が螺合するための螺合穴１ａが設けられている。取付ネジ５は、本発明に係る可動レール１の高さ調整機構を組み立てる際、支持板３の下側から支持板３の取付孔３ｃ、調整部材４１、上下動部材４２の貫通孔４２ｃを貫通して、先端部５１が可動レール１の螺合穴１ａに螺合する長さを有している。なお、取付ネジ５のツバ部の径は、支持板３の取付孔３ｃの径よりも大きく、基台２の逃がし孔２ｃの径よりも小さいものである。
また、調整ネジ６は、本発明に係る可動レール１の高さ調整機構を組み立てる際、タップ孔４１ａに水平方向に螺合して調整部材４１を貫通し、支持板３の下側から支持板３、調整部材４１および上下動部材４２を貫通している取付ネジ５に、先端６１が当接する長さを有している。
【００１８】
続いて、図３に基づいて、これらの構成部品から本発明に係る可動レール１の高さ調整機構を組み立て方法を説明する。まず、基台２の切り起こし部２１を支持板３の角孔３ａに潜入させて、基台２を支持板３の下側から接触させ、さらに、支持板３の上側から、角孔３ａに潜入した切り起こし部２１の傾斜面２１ａに、コの字形状の両先端部下面に設けられているカム部４１１を当接させるようにして調整部材４１を載せる。また、上下動部材４２を、溝部４２ａに調整部材４１を収容するようにして支持板３の上側に載せ、続けて、位置決めダボ４２ｂを基台２および支持板３の重なり合った位置決め孔２ｂ、３ｂに嵌合させて取り付ける。また、上下動部材４２の載置部４２１には、可動レール１を載せる。
【００１９】
そして、支持板３の下側から、具体的には、支持板３に接触した基台２の逃がし孔２ｃから、取付ネジ５の先端部５１を可動レール１側へ差し込み、支持板３の取付孔３ｃ、調整部材４１、および上下動部材４２の貫通孔４２ｃを貫通させて可動レール１の螺合穴１ａに先端部５１を螺合させ、支持板３、調整部材４１、上下動部材４２および可動レール１を一体化する。また、調整ネジ６を上下動部材４２の開放孔４２ｄを介してタップ孔４１ａに水平方向に螺合させ、続けて、調整部材４１を貫通させて、先端６１を取付ネジ５に当接させる。そうすると、図４（ａ）または図４（ｂ）に示すような状態になって、本発明に係る可動レール１の高さ調整機構の組み立てが完了する。
【００２０】
そして、図４（ａ）のような状態において、調整ネジ６を螺入させると、上下動部材４２の溝部４２ａに収容された調整部材４１が、調整ネジ６の螺入に伴って前方向（タップ孔４１ａの部分が取付ネジ５から離れる方向）に動き、同時に、切り起こし部２１の傾斜面２１ａに沿ってカム部４１１が上方向（基台２から離れる方向）にも動く。これに伴って、取付ネジ５により調整部材４１と一体化した支持板３、上下動部材４２および可動レール１が、上方向（基台２から離れる方向）に動いて、図４（ｂ）に示すような状態になって、可動レール１の高さが調整される。
【００２１】
また、図４（ｂ）のような状態において、調整ネジ６を螺出させると、上下動部材４２の溝部４２ａに収容された調整部材４１が、調整ネジ６の螺出に伴って後方向（タップ孔４１ａの部分が取付ネジ５に近づく方向）に動き、同時に、切り起こし部２１の傾斜面２１ａに沿ってカム部４１１が下方向（基台２に近づく方向）にも動く。これに伴って、取付ネジ５により調整部材４１と一体化した支持板３、上下動部材４２および可動レール１が、下方向（基台２に近づく方向）に動いて、図４（ａ）に示すような状態になって、可動レール１の高さが調整される。
なお、取付ネジ５により調整部材４１と一体化している支持板３、上下動部材４２および可動レール１は、調整部材４１の前後方向の動きに対して反応しない。これは、上下動部材４２の溝部４２ａに調整部材４１が前後方向に動くだけのスペースを持たせているからである。
【００２２】
したがって、本発明に係る可動レール１の高さ調整機構は、上下動部材４２の溝部４２ａに収容された調整部材４１に螺合している調整ネジ６をドライバーなどで螺入または螺出させることにより、調整部材４１の前後方向および上下方向の動きが発生し、これに伴って、取付ネジ５により調整部材４１と一体化している支持板３、上下動部材４２および可動レール１に上下方向の動きが発生し、これにより、可動レール１の高さが上下方向に動くので、可動レール１の高さおよびプリンタの印字面との平行度などを容易かつ確実に調整することができる。
【００２３】
特に、調整ネジ６を螺入または螺出させる向きが水平方向であるので、可動レール１の高さや平行度を確認しながら作業を進めることができるほか、調整ネジ６をドライバーなどで螺入または螺出させるという操作のみで可動レール１の高さおよびプリンタの印字面との平行度などを調整することができるなど、プリンタヘッドを案内する可動レール１の高さを調整する作業を労を要さずに済ますことができ、また、高さを調整する度に可動レール１を取り外したり、取り付けしたりする必要もない。さらに、可動レール１の高さ調整に必要な部材は、調整部材４１および調整ネジ６であり、部品点数を抑えてプリンタの低コスト化を図ることもできる。
【００２４】
以上、本発明の一実施形態を詳述したが、本発明は、この一実施形態に限定されるものではない。そして本発明は、特許請求の範囲に記載された事項を逸脱することがなければ、種々の設計変更を行うことが可能である。
【００２５】
例えば、上記一実施形態では、調整部材に関して平面視コの字形状のものを使用したが、調整ネジの螺入または螺出による前後運動を上下方向に変えるカム部を有し、かつ、取付ネジに貫通される孔を有する調整部材であれば、適宜の形状を採用することができる。また、上下動部材は、調整部材を介して支持板に載せて取り付ければ、調整部材の動きを介して上下方向に動くことができるので、必ずしも溝部を設ける必要がない。そして、このような例であっても、一つの調整ネジを螺入、螺出させるだけで、調整部材を介して上下動部材を上下動させて可動レールの高さを調整することができ、さらに、調整ネジを螺入、螺出しながら可動レールの水平度も確認できるなど労を要さず、また、必要な部品点数を抑えて経済性に優れた可動レールの高さ調整機構を提供することができる。
なお、支持板に設ける、基台の切り起こし部が潜入する孔は、上記一実施形態のような角孔に限定されるものではない。しかし、調整部材のカム部が、当接している基台の切り起こし部の傾斜面からずれないようにするためには、上記一実施形態のような角孔とすることが好ましい。
【図面の簡単な説明】
【００２６】
【図１】本発明に係る可動レールの高さ調整機構が複数箇所に設けられた可動レールを破断した部分平面図である。
【図２】図１において調整ネジが水平方向に螺合している正面側から見た一部を破断した部分正面図である。
【図３】本発明に係る可動レールの高さ調整機構の一実施形態における構成を説明する説明図である。
【図４】本発明に係る可動レールの高さ調整機構の動作説明図である。
【図５】本発明に係る可動レールの高さ調整機構の一実施形態における構成部品の上下動部材を下面側から見た斜視図である。
【符号の説明】
【００２７】
１      可動レール
１ａ    螺合穴
２      基台
２１    切り起こし部（突起部）
２１ａ  傾斜面
２ｂ    位置決め孔
２ｃ    逃がし孔
３      支持板
３ａ    角孔
３ｂ    位置決め孔
３ｃ    取付孔
４      支持ポスト
４１    調整部材
４１１  カム部
４１ａ  タップ孔
４２    上下動部材
４２１  載置部
４２ａ  溝部
４２ｂ  位置決めダボ
４２ｃ  貫通孔
４２ｄ  開放孔
５      取付ネジ
５１    先端部  
６      調整ネジ
６１    先端
【図１】
2008290352.tif 000003
【図２】
2008290352.tif 000004
【図３】
2008290352.tif 000005
【図４】
2008290352.tif 000006
【図５】
2008290352.tif 000007